(57)【特許請求の範囲】
【請求項１】
各設問の問題番号と対応付けて、答案用紙における各設問の解答欄の座標位置を規定するテンプレートを複数記憶する記憶部と、
前記解答欄に解答を記入済みの前記答案用紙を読み取った答案画像を取得する取得部と、
前記テンプレートの選択を受け付ける選択部と、
選択された前記テンプレートを参照して、前記答案画像から前記解答欄の画像を抽出する抽出部と、
各設問の解答欄に解答を電子的に入力可能な答案用紙の電子データであって、各設問の解答欄に解答を入力済みの電子データを取得する第２取得部と、
取得した前記電子データから、前記解答欄に入力された前記解答を抽出する第２抽出部と、
設問毎に、前記問題番号が同一の前記解答欄の画像及び前記解答を一覧で表示する表示部と、
表示した前記解答欄の画像及び前記解答に対する採点結果の入力を受け付ける受付部と
を備えることを特徴とする情報処理装置。
【請求項２】
前記取得部は、複数の前記答案用紙それぞれを読み取った複数の前記答案画像を取得し、
前記抽出部は、複数の前記答案画像それぞれから、各設問の前記解答欄の画像を抽出し、
前記表示部は、前記問題番号が同一である前記解答欄の画像を一覧表示する
ことを特徴とする請求項１に記載の情報処理装置。
【請求項３】
前記受付部は、前記解答欄の画像及び前記解答に対するクリック操作又はタッチ操作により前記採点結果の入力を受け付け、
前記表示部は、前記採点結果を示す画像を前記解答欄の画像及び前記解答に重畳して表示する
ことを特徴とする請求項１又は請求項２に記載の情報処理装置。
【請求項４】
前記受付部が受け付けた前記採点結果に基づき、各設問の前記解答欄に前記採点結果を示す画像を重畳した前記答案画像を生成する生成部を備える
ことを特徴とする請求項３に記載の情報処理装置。
【請求項５】
各設問の解答欄に解答を記入済みの答案用紙を読み取った答案画像を取得し、
各設問の問題番号と対応付けて、答案用紙における各設問の解答欄の座標位置を規定する複数のテンプレートのうち、いずれかの選択を受け付け、
選択された前記テンプレートを参照して、前記答案画像から前記解答欄の画像を抽出し、
各設問の解答欄に解答を電子的に入力可能な答案用紙の電子データであって、各設問の解答欄に解答を入力済みの電子データを取得し、
取得した前記電子データから、前記解答欄に入力された前記解答を抽出し、
設問毎に、前記問題番号が同一の前記解答欄の画像及び前記解答を一覧で表示部に表示し、
表示した前記解答欄の画像及び前記解答に対する採点結果の入力を受け付ける
処理をコンピュータに実行させることを特徴とするプログラム。
【請求項６】
各設問の解答欄に解答を記入済みの答案用紙を読み取った答案画像を取得し、
各設問の問題番号と対応付けて、答案用紙における各設問の解答欄の座標位置を規定する複数のテンプレートのうち、いずれかの選択を受け付け、
選択された前記テンプレートを参照して、前記答案画像から前記解答欄の画像を抽出し、
各設問の解答欄に解答を電子的に入力可能な答案用紙の電子データであって、各設問の解答欄に解答を入力済みの電子データを取得し、
取得した前記電子データから、前記解答欄に入力された前記解答を抽出し、
設問毎に、前記問題番号が同一の前記解答欄の画像及び前記解答を一覧で表示部に表示し、
表示した前記解答欄の画像及び前記解答に対する採点結果の入力を受け付ける
処理をコンピュータに実行させることを特徴とする情報処理方法。
【発明の詳細な説明】
【技術分野】
【０００１】
本発明は、情報処理装置、プログラム及び情報処理方法に関する。
【背景技術】
【０００２】
テスト答案の採点に関し、採点作業の効率化を図るべく、多数の答案用紙から各問題の解答欄を読み取ってイメージとして抜き出し、問題別に一覧表示して採点を受け付ける採点システムが知られている（特許文献１参照）。
【先行技術文献】
【特許文献】
【０００３】
【特許文献１】特開２０００−１２２５１７号公報
【発明の概要】
【発明が解決しようとする課題】
【０００４】
しかしながら、特許文献１に係る採点システムでは、解答欄の位置等を識別するための識別符号を答案用紙に付し、当該識別符号を読み取ることで解答欄の位置を判別することとしている。従って、識別符号付きの答案用紙を用意する必要があり、必ずしも実用的とはいえない。
【０００５】
本発明は斯かる事情によりなされたものであって、その目的とするところは、効率的な答案の採点を支援することができる情報処理装置等を提供することにある。
【課題を解決するための手段】
【０００６】
本発明に係る情報処理装置は、各設問の問題番号と対応付けて、答案用紙における各設問の解答欄の座標位置を規定するテンプレートを複数記憶する記憶部と、前記解答欄に解答を記入済みの前記答案用紙を読み取った答案画像を取得する取得部と、前記テンプレートの選択を受け付ける選択部と、選択された前記テンプレートを参照して、前記答案画像から前記解答欄の画像を抽出する抽出部と、各設問の解答欄に解答を電子的に入力可能な答案用紙の電子データであって、各設問の解答欄に解答を入力済みの電子データを取得する第２取得部と、取得した前記電子データから、前記解答欄に入力された前記解答を抽出する第２抽出部と、設問毎に、前記問題番号が同一の前記解答欄の画像及び前記解答を一覧で表示する表示部と、表示した前記解答欄の画像及び前記解答に対する採点結果の入力を受け付ける受付部とを備えることを特徴とする。
【０００７】
本発明に係る情報処理装置は、前記取得部は、複数の前記答案用紙夫々を読み取った複数の前記答案画像を取得し、前記抽出部は、複数の前記答案画像夫々から、各設問の前記解答欄の画像を抽出し、前記表示部は、前記問題番号が同一である前記解答欄の画像を一覧表示することを特徴とする。
【０００９】
本発明に係る情報処理装置は、前記受付部は、前記解答欄の画像に対するクリック操作又はタッチ操作により前記採点結果の入力を受け付け、前記表示部は、前記採点結果を示す画像を前記解答欄の画像に重畳して表示することを特徴とする。
【００１０】
本発明に係る情報処理装置は、前記受付部が受け付けた前記採点結果に基づき、各設問の前記解答欄に前記採点結果を示す画像を重畳した前記答案画像を生成する生成部を備えることを特徴とする。
【００１１】
本発明に係るプログラムは、各設問の解答欄に解答を記入済みの答案用紙を読み取った答案画像を取得し、各設問の問題番号と対応付けて、答案用紙における各設問の解答欄の座標位置を規定する複数のテンプレートのうち、いずれかの選択を受け付け、選択された前記テンプレートを参照して、前記答案画像から前記解答欄の画像を抽出し、各設問の解答欄に解答を電子的に入力可能な答案用紙の電子データであって、各設問の解答欄に解答を入力済みの電子データを取得し、取得した前記電子データから、前記解答欄に入力された前記解答を抽出し、設問毎に、前記問題番号が同一の前記解答欄の画像及び前記解答を一覧で表示部に表示し、表示した前記解答欄の画像及び前記解答に対する採点結果の入力を受け付ける処理をコンピュータに実行させることを特徴とする。
【００１２】
本発明に係る情報処理方法は、各設問の解答欄に解答を記入済みの答案用紙を読み取った答案画像を取得し、各設問の問題番号と対応付けて、答案用紙における各設問の解答欄の座標位置を規定する複数のテンプレートのうち、いずれかの選択を受け付け、選択された前記テンプレートを参照して、前記答案画像から前記解答欄の画像を抽出し、各設問の解答欄に解答を電子的に入力可能な答案用紙の電子データであって、各設問の解答欄に解答を入力済みの電子データを取得し、取得した前記電子データから、前記解答欄に入力された前記解答を抽出し、設問毎に、前記問題番号が同一の前記解答欄の画像及び前記解答を一覧で表示部に表示し、表示した前記解答欄の画像及び前記解答に対する採点結果の入力を受け付ける処理をコンピュータに実行させることを特徴とする。
【発明の効果】
【００１３】
本発明によれば、効率的な答案の採点を支援することができる。
【図面の簡単な説明】
【００１４】
【図１】情報処理装置の構成例を示すブロック図である。
【図２】答案ＤＢのレコードレイアウトの一例を示す説明図である。
【図３】解答欄抽出処理について説明するための説明図である。
【図４】一覧表示処理を説明するための説明図である。
【図５】採点処理を説明するための説明図である。
【図６】ＰＣが実行する処理手順の一例を示すフローチャートである。
【図７】実施の形態２に係る解答抽出処理について説明するための説明図である。
【図８】実施の形態２に係るＰＣが実行する処理手順の一例を示すフローチャートである。
【図９】実施の形態３に係る答案画像の生成処理について説明するための説明図である。
【図１０】実施の形態３に係るＰＣが実行する処理手順の一例を示すフローチャートである。
【図１１】上述した形態のＰＣの動作を示す機能ブロック図である。
【発明を実施するための形態】
【００１５】
以下、本発明をその実施の形態を示す図面に基づいて詳述する。
（実施の形態１）
図１は、情報処理装置１の構成例を示すブロック図である。情報処理装置１は、種々の情報処理を行うと共に、情報の送受信を行う情報処理装置であり、例えばパーソナルコンピュータ、タブレット端末等である。以下の説明では情報処理装置１がパーソナルコンピュータであるものとし、簡潔のためＰＣ１と読み替える。ＰＣ１は、学習者（例えば学校の生徒）が受けたテスト答案を採点する採点者（例えば学校の教員）が使用する端末であり、採点者はＰＣ１において出題テストの作成、答案の採点、採点結果の集計等を行う。
【００１６】
ＰＣ１は、制御部１１、記憶部１２、通信部１３、表示部１４、入力部１５を含む。  制御部１１はＣＰＵ（Central Processing Unit）、ＭＰＵ（Micro-Processing Unit）等の演算処理装置を含み、記憶部１２に記憶されたプログラムＰを読み出して実行することにより、ＰＣ１に係る種々の情報処理、制御処理等を行う。なお、図１では制御部１１を単一のプロセッサとして図示してあるが、制御部１１はマルチプロセッサであってもよい。記憶部１２はＲＡＭ（Random Access Memory）、ＲＯＭ（Read Only Memory）等のメモリ素子を含み、制御部１１が処理を実行するために必要なプログラムＰ又はデータ等を記憶している。また、記憶部１２は、制御部１１が演算処理を実行するために必要なデータ等を一時的に記憶する。通信部１３は無線又は有線により通信を行う通信モジュールであり、ＬＡＮ（Local Area Network）、インターネット等のネットワークを介して情報の送受信を行う。表示部１４は液晶ディスプレイ又は有機ＥＬ（Electro Luminescence）ディスプレイ等の画面を有し、制御部１１から与えられた画像を表示する。入力部１５はキーボード、マウス等を含み、使用者による操作入力を受け付ける。
【００１７】
本実施の形態において記憶部１２は、答案ＤＢ１２１を記憶している。答案ＤＢ１２１は、学習者に出題するテストに係る答案用紙のテンプレートデータを記憶している。当該テンプレートデータは、所定の文書作成ソフトで作成された文書ファイルであり、例えばマイクロソフト社のオフィス・ワード（登録商標）で作成されたワード文書である。答案ＤＢ１２１には、採点者が作成した複数の答案用紙のテンプレートデータが記憶されている。
【００１８】
また、記憶部１２は、答案採点用のデータファイル１２２を記憶している。データファイル１２２は例えばマイクロソフト社のエクセル（登録商標）ファイルであり、後述するように、採点結果を入力するワークシートが設問別に設けられ、採点者は各ワークシート上で採点結果の入力を行う。
【００１９】
なお、本実施の形態においてＰＣ１は上記の構成に限られず、例えば音声の入出力を行うマイク及びスピーカ、可搬型記憶媒体に記憶された情報を読み取る読取部等を含んでもよい。
【００２０】
また、ＰＣ１は通信部１３を介して、画像処理装置２に接続されている。画像処理装置２は用紙の印刷及び読取を行う複合機であり、答案用紙の印刷、スキャン等を行う。
【００２１】
図２は、答案ＤＢ１２１のレコードレイアウトの一例を示す説明図である。答案ＤＢ１２１は、ファイル名列、問題番号列、設問列、解答欄列、配点列を含む。ファイル名列は、各テストの答案用紙に係るテンプレートのファイル名を記憶している。問題番号列は、ファイル名と対応付けて、各テンプレートの答案用紙における各設問の問題番号を記憶している。設問列は、ファイル名及び問題番号と対応付けて、各テンプレートの答案用紙における各設問の設問文、及び設問文が記載される座標位置等のデータを記憶している。解答欄列は、ファイル名及び問題番号と対応付けて、答案用紙における各設問の解答欄の座標位置に関するデータを記憶している。配点列は、ファイル名及び問題番号と対応付けて、各設問の配点を記憶している。
【００２２】
図３は、解答欄抽出処理について説明するための説明図である。以下ではＰＣ１が実行する処理の概要について説明する。なお、以下の説明では便宜上、ＰＣ１の処理主体は制御部１１であるものとして説明する。
ここで、各解答者により答案用紙への解答の記入がすでに行われ、解答が記入済みの答案用紙が採点者に提出されているものとする。図３左に、答案用紙の一例を概念的に示す。答案用紙は、一又は複数の設問と、解答欄とを含む。具体的には、答案用紙には各設問の問題番号と、設問文と、解答欄とが記載されている。なお、答案用紙は設問及び解答欄の双方が記載されたものである必要はなく、問題番号及び解答欄のみが列記されたものであってもよい。また、設問はテキストだけでなく、図、表等を含んでもよい。また、解答欄の形式も記述式の空欄に限定されるものではなく、例えばマークシート形式の解答欄であってもよい。
【００２３】
上述の如く答案用紙は、所定の文書作成ソフトにより作成された文書ファイルをプリントアウトしたものである。ＰＣ１は、例えばマイクロソフト社のワードソフトにより文書ファイルを作成する。具体的にＰＣ１は、ワードソフトのアドイン機能として、設問及び解答欄を定型文として文書中に挿入する機能を有する。ＰＣ１は、入力部１５を介して具体的な設問内容の入力を受け付け、設問及び解答欄を文書中に挿入することで、答案用紙に係る文書ファイルを作成する。ＰＣ１は、作成した文書ファイル、すなわち答案用紙のテンプレートを答案ＤＢ１２１に保存する。
【００２４】
採点者は答案用紙をプリントアウトして各解答者に配布し、各解答者は答案用紙に解答を記入して採点者に提出する。画像処理装置２は、解答が記入された答案用紙を所定のファイル形式の画像イメージとして読み取る。図３中央に、答案用紙を読み取った答案画像を示す。画像処理装置２は、読み取った答案画像をＰＣ１に転送する。これによりＰＣ１は、解答欄に解答を記入済みの答案用紙を読み取った答案画像を取得する。
【００２５】
ＰＣ１の制御部１１は、取得した答案画像から、各設問の解答欄部分を抽出する処理を行う。具体的に制御部１１は、答案ＤＢ１２１に記憶されている答案用紙のテンプレートを参照し、答案画像における各解答欄の座標位置を特定する。例えば図３に示すように、制御部１１は、所定のウインドウ画面においてテンプレートのファイル名の選択を受け付ける。制御部１１は、選択されたテンプレートを参照して各設問の解答欄の座標値を読み出す。制御部１１は当該座標値に基づき、答案画像における各解答欄の画像領域を特定する。制御部１１は、特定した画像領域を抜き出し、解答欄の画像を抽出する。制御部１１は、各答案用紙に係る答案画像に対して抽出処理を行い、各答案用紙について各設問の解答欄の画像を抽出する。
【００２６】
図４は、一覧表示処理を説明するための説明図である。制御部１１は、設問毎に各解答者の解答をまとめて一覧表示する処理を行う。
ＰＣ１は、答案画像から抽出した各設問の解答欄の画像を、問題番号と対応付けてデータファイル１２２に格納する。例えば上述の如く、ＰＣ１は、問題番号に応じてワークシートが区分されたエクセル形式のデータファイル１２２を用意しておく。ＰＣ１の制御部１１は、各答案画像から抽出した各設問の解答欄の画像を、問題番号に応じて各ワークシートに貼り付ける。例えば図４に示すように、問題番号が「１」である設問の解答欄の画像は、「設問１」のワークシートに貼り付けられる。制御部１１は、各答案画像から抽出した各画像を、問題番号に応じて各ワークシートに順次貼り付ける。これにより制御部１１は、各解答者の解答を設問毎にまとめた一覧を生成する。図４に示すように、制御部１１はデータファイル１２２を参照し、当該ワークシートを表示することで、各解答者の解答を一覧表示する。なお、例えば制御部１１は、各答案用紙の読み取り時に、各答案用紙に係る解答者の情報（例えば生徒の学年、組、出席番号等）について入力を受け付け、解答の下に付記する。
【００２７】
なお、上記で制御部１１は解答欄の切り抜き画像をエクセルファイルに格納することとしたが、データファイル１２２のファイル形式は特に限定されず、問題番号と解答欄の画像とを対応付けて格納可能であればよい。
【００２８】
図５は、採点処理を説明するための説明図である。制御部１１は、一覧で表示した解答に対する採点操作を受け付ける。具体的に制御部１１は、一覧で表示された各切り抜き画像に対するクリック操作を受け付ける。制御部１１は、受け付けた操作内容、例えば操作回数に応じて、各解答の採点結果を判定する。例えば図５に示すように、制御部１１は、クリック操作を１回だけ受け付けた場合、採点結果が「正答」であるものと判定する。また、制御部１１はクリック操作を２回受け付けた場合、採点結果が「誤答」であるものと判定する。なお、クリック操作を３回受け付けた場合、制御部１１は判定結果を「正答」に戻す。このように制御部１１は、クリック操作の回数に応じて採点結果を切り替える。
【００２９】
なお、制御部１１は切り抜き画像に対する操作だけでなく、他の操作によって採点結果を取得してもよい。例えば図５において、ワークシート上部の「全て○」への操作入力を受け付けた場合、制御部１１は、全ての解答に係る採点結果を正答として処理する。
【００３０】
制御部１１は、判定した採点結果をワークシート上に表示する。例えば図５に示すように、制御部１１は、各解答欄の画像上に、採点結果を示すマーク５１を重畳して表示する。例えば制御部１１は、解答欄の画像に対するクリック操作を１回受け付けた場合、「正答」である旨をマル印で表すマーク５１を解答欄の画像上に重畳して表示する。クリック操作を２回受け付けた場合、制御部１１は、「誤答」である旨をバツ印で表すマーク５１に切り替えて表示する。このように制御部１１は、操作回数に応じてマーク５１を順次切り替えて表示する。以上より、採点者は解答欄に対する直接的な操作で採点を行うことから、紙の答案を採点する場合と似た感覚で採点を行うことができる。
【００３１】
なお、上記で入力可能な採点結果は正誤の２種類のみであったが、例えば部分点を与える旨の採点操作も可能にするなど、３種類以上の採点結果を入力可能としてもよい。
【００３２】
また、上記で制御部１１は、クリック操作により採点結果の入力を受け付けたが、本実施の形態はこれに限定されるものではない。例えば表示部１４にタッチパネルを設け、制御部１１はタッチパネルへのタッチ入力に基づき採点結果の入力を受け付けてもよい。また、制御部１１はクリック又はタッチの回数ではなく、クリック又はタッチの入力時間（押下時間）に応じて採点結果を判定することとしてもよい。また、制御部１１は操作内容（例えばタップ操作又はフリック操作の別）に応じて採点結果を判定することとしてもよい。すなわち制御部１１は、解答欄の画像に対する表示画面上の操作処理に基づき採点結果の入力を受け付けることができればよく、具体的な操作手法は特に限定されない。
【００３３】
制御部１１は、各ワークシートで受け付けた採点結果の集計を行う。具体的に制御部１１は、各ワークシートにおいて入力された採点結果と連動して、設問毎、解答者毎、クラス毎などの単位で点数、正答率等を集計する。集計結果は、図示しない別のワークシート上に表示される。以上より、設問別に解答が一覧表示されるため、採点者は同じ設問について一時に採点を行うことができ、採点ミスを減らすことができる。また、採点をエクセルのワークシート上で行うため、採点と同時に集計も行うことができる。
【００３４】
図６は、ＰＣ１が実行する処理手順の一例を示すフローチャートである。図６に基づき、ＰＣ１が実行する処理内容について説明する。
ＰＣ１の制御部１１は、画像処理装置２から、解答欄に解答を記入済みの答案用紙を読み取った答案画像を取得する（ステップＳ１１）。答案用紙は、所定の文書作成ソフトにより作成された文書ファイルをプリントアウトしたものであり、答案ＤＢ１２１に、答案用紙における各設問の問題番号と、各設問の解答欄の座標位置とを対応付けたテンプレートのデータが複数記憶されている。制御部１１は、各解答者が解答を記入した複数の答案用紙夫々について、画像処理装置２から答案画像を取得する。制御部１１は、取得した答案画像について、答案用紙に係るテンプレートの選択を受け付ける（ステップＳ１２）。例えば制御部１１は、採点者による手動入力により答案データのファイル名の指定を受け付ける。
【００３５】
制御部１１は、選択されたテンプレートを参照して各設問の解答欄の位置を特定し、答案画像から各設問の解答欄の画像を抽出する（ステップＳ１３）。制御部１１は、答案画像から抽出した各設問の解答欄の画像を、問題番号と対応付けてデータファイル１２２に格納する（ステップＳ１４）。データファイル１２２は例えばエクセルファイルであり、問題番号に応じてワークシートが区分されている。制御部１１は、各解答欄の切り抜き画像を、問題番号に対応するワークシートにコピーする。
【００３６】
制御部１１は、問題番号が同一である解答欄の画像を一覧表示する（ステップＳ１５）。すなわち制御部１１は、上記で解答欄の画像を貼り付けたワークシートを表示する。制御部１１は、一覧で表示した各解答欄の画像に対する採点結果の入力を受け付ける（ステップＳ１６）。具体的に制御部１１は、各解答欄の切り抜き画像に対するクリック操作を受け付ける。制御部１１は、操作回数に応じて採点結果、すなわち解答の正誤を判定する。制御部１１は、入力された採点結果を示す所定の画像を、一覧で表示されている解答欄の画像に重畳して表示する（ステップＳ１７）。具体的に制御部１１は、解答の正誤をマルバツ形式で表すマーク５１を解答欄の切り抜き画像に重畳して表示する。制御部１１は、一連の処理を終了する。
【００３７】
以上より、本実施の形態１によれば、効率的な答案の採点を支援することができる。
【００３８】
また、本実施の形態１によれば、複数の答案用紙を一括して処理することができ、採点作業をより効率化することができる。
【００３９】
また、本実施の形態１によれば、解答欄の切り抜き画像に対する直接的なクリック操作又はタッチ操作で採点を行い、採点結果を示すマーク５１を重畳表示する。これにより、直感的で分かり易い操作性を実現することができる。
【００４０】
（実施の形態２）
実施の形態１では、紙形式の答案から解答を抽出する形態について述べた。本実施の形態では、電子形式の答案からも解答を抽出する形態について述べる。なお、実施の形態１と重複する内容については同一の符号を付して説明を省略する。
図７は、実施の形態２に係る解答抽出処理について説明するための説明図である。本実施の形態においてＰＣ１は、解答者が所定の端末装置３において解答を入力した答案用紙の電子データから解答を抽出する。上述の如く、当該電子データは答案用紙の元データであり、ワードソフト等で作成された文書ファイルである。なお、本実施の形態では説明の便宜上、答案用紙を電子化した当該電子データを「答案データ」と呼ぶ。各解答者は、例えばタブレット端末等の端末装置３を所持している。端末装置３は、ＰＣ１から答案データの配信を受け、答案用紙に係るページ画面を表示する。端末装置３は、例えば電子ペンを用いたタッチ操作等により、解答欄への解答の入力を受け付ける。なお、端末装置３はパーソナルコンピュータ等の他の端末機器であってもよく、解答欄への解答の入力方法はキーボード入力等であってもよい。
【００４１】
ＰＣ１は、解答が入力された答案データを、インターネット等のネットワークを介して端末装置３から取得する。また、ＰＣ１は実施の形態１と同様に、答案用紙を読み取った答案画像を画像処理装置２から取得する。
【００４２】
ＰＣ１の制御部１１は、端末装置３において電子的に入力された解答と、答案用紙において手書きで記入された解答とを、各データから抽出する。具体的に制御部１１は、各解答欄に入力された解答の入力内容を答案データから抽出する。なお、答案データは電子ファイルであることから、制御部１１はテンプレートを参照せずとも答案データから直接的に各解答欄の位置を特定し、解答を抽出することができる。また、制御部１１は実施の形態１と同様に、答案用紙のテンプレートを参照して答案画像における各解答欄の位置を特定し、解答欄の切り抜き画像を抽出する。
【００４３】
制御部１１は、答案データから抽出した解答と、答案画像から抽出した解答欄の画像とをデータファイル１２２に格納する。すなわち制御部１１は、答案データから抽出した解答の入力内容と、答案用紙から切り出した解答欄の画像とをワークシートにコピーする。制御部１１は図４、図５等と同様に、当該ワークシートを表示する。これにより制御部１１は、電子的に入力された解答と、手書きで記入された解答との双方を一覧で表示する。以上よりＰＣ１は、電子形式の答案と紙形式の答案とを一括して処理し、答案の形式を問わずに解答を一覧で表示することができる。
【００４４】
図８は、実施の形態２に係るＰＣ１が実行する処理手順の一例を示すフローチャートである。ステップＳ１３の処理を実行後、ＰＣ１の制御部１１は以下の処理を実行する。
制御部１１は、端末装置３から、各解答欄に解答を入力済みの答案データを取得する（ステップＳ２０１）。答案データは、答案用紙の電子データであって、各設問及び解答欄が記述された文書ファイルである。各解答者は、タブレット端末等の端末装置３において答案データを開き、解答欄に解答を入力する。制御部１１は、インターネット等のネットワークを介して解答を入力済みの答案データを取得する。
【００４５】
制御部１１は、各解答欄に入力された解答を答案データから抽出する（ステップＳ２０２）。制御部１１は、ステップＳ１３で答案画像から抽出した解答欄の画像と、ステップＳ２０２で答案データから抽出した解答とを、問題番号と対応付けてデータファイル１２２に格納する（ステップＳ２０３）。具体的に制御部１１は、答案データから抽出した解答の入力内容と、答案画像から抽出した解答欄の画像とを各ワークシートにコピーする。制御部１１は、各答案画像から抽出された解答欄の画像と、各答案データから抽出された解答とを、問題番号に応じて一覧で表示する（ステップＳ２０４）。すなわち制御部１１は、答案用紙において手書きで記入された解答と、答案データにおいて電子的に入力された解答とを、ワークシートにより一覧表示する。制御部１１は、処理をステップＳ１６に移行する。
【００４６】
以上より、本実施の形態２によれば、紙形式の答案と電子形式の答案とを一括処理することができる。
【００４７】
（実施の形態３）
本実施の形態では、採点結果を反映させた答案画像を生成する形態について説明する。
図９は、実施の形態３に係る答案画像の生成処理について説明するための説明図である。上述の如くＰＣ１は、ワークシート上で採点結果の入力を受け付ける。本実施の形態においてＰＣ１は、入力された採点結果を元の答案画像に反映させ、採点済の答案画像を生成する。
【００４８】
具体的に制御部１１は、採点結果が入力されたデータファイル１２２を参照し、各解答者の答案について、各設問の採点結果を読み出す。制御部１１は、図９に示すように、答案画像における各解答欄に、採点結果を示すマーク５１が重畳された解答欄の切り抜き画像を当てはめる。これにより制御部１１は、各解答欄に採点結果を示す画像が重畳された採点済の答案画像を生成する。制御部１１はデータファイル１２２を参照し、各解答者の答案について採点済の答案画像を生成する。例えば制御部１１は、生成した答案画像を画像処理装置２に出力し、印刷させる。これにより各解答者に、採点結果を反映した答案用紙を返却することができる。
【００４９】
図１０は、実施の形態３に係るＰＣ１が実行する処理手順の一例を示すフローチャートである。ステップＳ１７の処理を実行後、ＰＣ１の制御部１１は、以下の処理を実行する。
制御部１１は、データファイル１２２に入力された採点結果に基づき、各設問の解答欄に、採点結果を示す画像を重畳した答案画像を生成して出力する（ステップＳ３０１）。具体的には上述の如く、制御部１１は、解答の正誤を示すマーク５１を解答欄の画像に重畳し、元の答案画像に当てはめて採点済の答案画像を生成する。制御部１１は、一連の処理を終了する。
【００５０】
以上より、本実施の形態３によれば、採点結果を反映した答案画像を生成することができる。
【００５１】
（実施の形態４）
図１１は、上述した形態のＰＣ１の動作を示す機能ブロック図である。制御部１１がプログラムＰを実行することにより、ＰＣ１は以下のように動作する。記憶部１１０１は、各設問の問題番号と対応付けて、答案用紙における各設問の解答欄の座標位置を規定するテンプレートを複数記憶する。取得部１１０２は、前記解答欄に解答を記入済みの前記答案用紙を読み取った答案画像を取得する。選択部１１０３は、前記テンプレートの選択を受け付ける。抽出部１１０４は、選択された前記テンプレートを参照して、前記答案画像から前記解答欄の画像を抽出する。表示部１１０５は、抽出した各設問の前記解答欄の画像を表示する。受付部１１０６は、表示した前記解答欄の画像に対する採点結果の入力を受け付ける。
【００５２】
本実施の形態４は以上の如きであり、その他は実施の形態１から３と同様であるので、対応する部分には同一の符号を付してその詳細な説明を省略する。
【００５３】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５４】
１  ＰＣ（情報処理装置）
１１  制御部
１２  記憶部
Ｐ  プログラム
１２１  答案ＤＢ
１２２  データファイル
１３  通信部
１４  表示部
１５  入力部
【図１】
0006988101.tif 000002
【図２】
0006988101.tif 000003
【図３】
0006988101.tif 000004
【図４】
0006988101.tif 000005
【図５】
0006988101.tif 000006
【図６】
0006988101.tif 000007
【図７】
0006988101.tif 000008
【図８】
0006988101.tif 000009
【図９】
0006988101.tif 000010
【図１０】
0006988101.tif 000011
【図１１】
0006988101.tif 000012